(57)【要約】【課題】パイプが不要で、直接材料を巻き取ることが可能なエアーシャフトを提供する。【解決手段】軸部と、軸部内に設けられる空気充塞部と、軸部に近隣する位置に設けられ外に突き出す連動部と、湾曲片とを備える。湾曲片は、軸部の表面両端間に設けられ、軸部の軸方向の中央位置に沿って軸部に突き出している一端と連接し、軸部の軸方向に平行な一側には第一突き出し部５０が突き出して設けられ、近隣する二つの第一突き出し部５０間にはそれぞれ第一欠け口部５２が設けられ、軸部の軸方向に平行な他側の第一突き出し部５０に相対する位置にはそれぞれ第二欠け口部５６が設けられ、軸部の軸方向に平行な他側の第一欠け口部５２に相対する位置にはそれぞれ第二突き出し部５４が設けられ、第一突き出し部５０はそれぞれ第二欠け口部５６内に挿入可能であり、第一欠け口部５２はそれぞれ第二突き出し部５４との挿入接続に供される。【選択図】図６
0003126631.tif 000002
【実用新案登録請求の範囲】
【請求項１】
中空の軸部と、
前記軸部内に設けられる空気充塞部と、
前記空気充塞部の軸部に近隣する位置に設けられ、かつ一端が軸部の外に突き出す複数個の連動部と、
軸部の表面両端間に設けられ、かつ軸部の軸方向の中央位置に沿ってそれぞれ前記連動部の軸部に突き出している一端と連接し、軸部の軸方向に平行する一側には第一突き出し部が突き出して設けられ、近隣する二つの第一突き出し部間にもそれぞれ第一欠け口部が設けられ、かつ軸部の軸方向に平行する他側の前記第一突き出し部に相対する位置にはそれぞれ第二欠け口部が設けられ、軸部の軸方向に平行する他側の前記第一欠け口部に相対する位置にはそれぞれ第二突き出し部が設けられ、前記第一突き出し部はそれぞれ前記第二欠け口部内に挿入可能であり、かつ前記第一欠け口部はそれぞれ前記第二突き出し部との挿入接続に供され、前記空気充塞部に空気に充塞される前、前記第一突き出し部及び第二突き出し部の頂端はそれぞれ前記第一欠け口部及び第二欠け口部に接近する底端に位置し、前記空気充塞部が空気に充塞されると、前記連動部にそれぞれ押し動かされ、それによって前記第一突き出し部及び第二突き出し部の頂端はそれぞれ前記第一欠け口部及び第二欠け口部の頂端に接近する位置へ移動する複数個の湾曲片と、
を備えるエアーシャフト。
【請求項２】
前記連動部は、
空気充塞部の両端間の表面周縁の前記湾曲片に相対する中央位置に設けられ、前記空気充塞部がまだ空気に充塞される前は軸部の内壁とある間隔隔たれ、空気充塞部が空気に充塞されたら、軸部の内壁に接近する位置へ移動する複数個の内案内片と、
一端が内案内片の軸部に対面する一面に設けられ、他端がそれぞれ軸部の外に突き出し、かつそれぞれ相対する湾曲片と連接し、空気充塞部が空気に充塞されると前記湾曲片を外へ押し動かし、かつ空気充塞部内の空気が釈放されることに伴って前記湾曲片を軸部へ移動するように動かす複数個の押し動かし棒と、
を有することを特徴とする請求項１に記載のエアーシャフト。
【請求項３】
前記連動部は、
気密性をもって空気充塞部内の両端間で前記湾曲片に相対する中央位置に設けられ、前記空気充塞部がまだ空気に充塞される前は軸部の内壁とある間隔隔たれ、空気充塞部が空気に充塞されたら、軸部の内壁に接近する位置へ移動する複数個の内案内片と、
一端がそれぞれ気密性をもって内案内片の空気充塞部に対面する一面に設けられ、他端がそれぞれ空気充塞部及び軸部の外に突き出し、かつそれぞれ相対する一枚の湾曲片と連接する複数個の押し動かし棒と、
を有することを特徴とする請求項１に記載のエアーシャフト。
【考案の詳細な説明】
【技術分野】
【０００１】
本考案はエアーシャフトに関するもので、特に軸の表面に複数枚の湾曲片が設けられ、かつそれらは中断された不連続の隙間を形成するものを指す。
【背景技術】
【０００２】
伝統的エアーシャフト（air shaft）は回転可能に巻き取り設備に設置され、かつ圧縮空気によってエアーシャフトを膨張させ、エアーシャフトに取り付けられるパイプ１６（例えば、紙パイプまたはプラスチックパイプ）の内壁に当て付け、巻き取り設備は更にある材料（例えば、紙、ゴム、金属、布、または線材）をパイプ１６上に巻き付けて巻き付け製品を作成する。
【０００３】
また、伝統的エアーシャフトはその外形によって次の幾つかの型式を含み、例えば、押しボタン型（button model）、鋸歯キー型（serrated key model）、ラグ／ストライプ型（lug/stripe）、及び板型等があり、前述の各型式のエアーシャフトはそれぞれ違った材料の巻き付けに適用される。ある型式のエアーシャフトに先天的欠点が存在しているので、エアーシャフトの製造メーカはこの欠点に改良を行って作り出し、例えば、中華民国新型特許公示第４７５５９３号「板型エアーシャフト巻き取り軸」（以下特許案と称す）は前述の後者に属する。その特許案は押しボタン型エアーシャフトに設けられる押し塊がパイプ１６の局部的位置にしか押し当てられないことに鑑み、そのパイプ１６の押し当てられる位置と押し当てられない位置の受ける作用力が違うのでパイプ１６が変形し、甚だしくはねじれ曲げの現象を導いてしまう。
【０００４】
このために、その特許案はその押しボタン型エアーシャフトの構造に対して板型エアーシャフトの巻き取り軸になるよう改良を行い、図１及び図２に示すように、その板型エアーシャフトは芯軸主体１１と、対応して芯軸主体１１の内外両側に分布される複数組の内押し板１２及び外押し板１３と、内押し板１２が取り囲む位置内に設けられる気嚢１４と、径方向に芯軸主体１１を抜き通り、かつ内押し板１２及び外押し板１３の連結に用いられる連接部材１５と、内押し板１２及び芯軸主体１１の間に設置されるばね（図面には示されていない）とを備える。気嚢１４が膨張状態に現れて外押し板１３が外側へ移動するよう内押し板１２を動かした場合、外押し板１３は引き動かされて外押し板１３に取り付け形成される周縁上のパイプ１６の内壁に緊密に当て付けられ、パイプ１６と板型エアーシャフトの巻き取り軸は同調して回転して巻き取りまたは材料の発送を行い、外押し板１３は円弧形の弾性の板であるので、外押し板１３はパイプ１６の圧迫を受けて弾性的変化が生じ、完全にパイプ１６の内壁に当て付けられ、パイプ１６は均一の支えを獲得し、真円度が確保される。
【０００５】
ところが前述のように、いかなるエアーシャフトに拘わらず、それらは材料をパイプ１６の上に巻き取り、巻き付けられた材料が使用されると、パイプ１６は廃棄物になって捨てられ、環境保全の観点から見ればそれはかなりの浪費であり、もしその巻き付いた製品を売ったメーカにそのパイプ１６を回収するようにすればメーカのコスト負担になり、かつその板型エアーシャフトは次の原因によって材料を直接それらエアーシャフトの表面に巻き付けることができない。
【０００６】
１．その板型エアーシャフトの巻き取り軸にはかなり良い真円度があるが、その板型エアーシャフト巻き取り軸の任意の近隣する二枚の外押し板１３の間には依然多少の隙間Ｓが存在し、もし直接材料をそれら外押し板１３の表面に巻き付けると、巻取りの過程に於いて材料が隙間Ｓ内に陥る可能性がある。
２．気嚢１４内の圧縮空気が釈放されると、それら近隣する外押し板１３間の隙間Ｓは更に小さくなってその隙間Ｓ内に陥った材料を挟み、材料はその板型エアーシャフトの巻き取り軸から取り外せなくなる。
それ故に、パイプ１６を取り付ける必要のないエアーシャフトがあれば、環境保全の要求に符合し、かつメーカにそのパイプ１６を回収させる必要がなく、これは人々が喜んで見ることだと信じる。
【考案の開示】
【考案が解決しようとする課題】
【０００７】
このことに鑑み、従来品の欠点を改善するため、本考案の考案者は長期間の努力研究と実験を経て、遂に本考案のエアーシャフトを開発することができた。
本考案の目的はエアーシャフトの一種を提供するもので、それには中空の軸部が設けられ、その軸部内の表面両端間の表面周縁には可動に複数枚の湾曲片が設けられ、それら湾曲片が移動する前後、それら湾曲片間には中断された不連続の隙間が保持され、そのためにそれらエアーシャフトの表面には連続の隙間が存在せず、そのエアーシャフトは直接材料を巻き取ることができ、それ故にそのエアーシャフトが材料を巻き取る場合はいかなるパイプをもそのエアーシャフトの表面に取り付ける必要がなく、伝統的エアーシャフトの問題を解決することができる。
審査委員各位に本考案の目的、形状、構造、装置特徴及び効果に対して更に認識と了解していただくため、ここに実施例を取上げ、図面と合わせて次の如く詳しく説明します。
【課題を解決するための手段】
【０００８】
上記目的を達成するためのエアーシャフトは、中空の軸部と、前記軸部内に設けられる空気充塞部と、前記空気充塞部の軸部に近隣する位置に設けられ、かつ一端が軸部の外に突き出ず複数個の連動部と、軸部の表面両端間に設けられ、かつ軸部の軸方向の中央位置に沿ってそれぞれ前記連動部の軸部に突き出している一端と連接し、また、軸部の軸方向に平行する一側には第一突き出し部が突き出して設けられ、いかなる近隣する二つの第一突き出し部間にもそれぞれ第一欠け口部が設けられ、かつ軸部の軸方向に平行する他側の前記第一突き出し部に相対する位置にはそれぞれ第二欠け口部が設けられ、軸部の軸方向に平行する他側の前記第一欠け口部に相対する位置にはそれぞれ第二突き出し部が設けられ、また、前記第一突き出し部はちょうどそれぞれ前記第二欠け口部内に挿入可能であり、かつ前記第一欠け口部はちょうどそれぞれ前記第二突き出し部との挿入接続に供され、前記空気充塞部がまだ空気に充塞される前、前記第一突き出し部及び第二突き出し部の頂端はそれぞれ前記第一欠け口部及び第二欠け口部に接近する底端に位置し、前記空気充塞部が空気に充塞されたら、前記連動部にそれぞれ押し動かされ、それによって前記第一突き出し部及び第二突き出し部の頂端はそれぞれ前記第一欠け口部及び第二欠け口部の頂端に接近する位置にあるようになる複数個の湾曲片と、を備える。
【考案を実施するための最良の形態】
【０００９】
本考案の一実施例によるエアーシャフトは、図３及び図４に示すように、中空の軸２が設けられ、軸２内には空気充塞部３が設けられ、空気充塞部３には複数個の連動部４が設けられ、連動部４の一端は軸２の外に突き出し、軸２の表面両端間には複数枚の湾曲片５が設けられ、かつ湾曲片５は軸２の軸方向の中央位置に沿ってそれぞれ連動部４の軸２に突き出している一端と連接し、また湾曲片５の軸２の軸方向に平行する一側には突き出し部５０が突き出して設けられ（図５及び図６に示す如く）、湾曲片５のいかなる近隣する二つの突き出し部５０間にもそれぞれ欠け口部５２が設けられ、かつ湾曲片５の軸２の軸方向に平行する他側の突き出し部５０に相対する位置にはそれぞれ別の欠け口部５６が設けられ、湾曲片５の軸２の軸方向に平行する他側の欠け口部５２に相対する位置にはそれぞれ別の突き出し部５４が設けられ、また突き出し部５０はちょうどそれぞれ別の欠け口部５６内に挿入することができ、かつ欠け口部５２はちょうどそれぞれ別の突き出し部５４との挿入接続に供され、それによって湾曲片５の間には中断かつ不連続の隙間が形成され、湾曲片５はその空気充塞部３がまだ空気に充塞される前、突き出し部５０及び別の突き出し部５４の頂端はそれぞれ欠け口部５２及び別の欠け口部５６に接近する底端に位置し、空気充塞部３が空気に充塞されたら、連動部４はそれぞれ湾曲片５を押し動かし、それによって突き出し部５０及び別の突き出し部５４の頂端はそれぞれ欠け口部５２及び別の欠け口部５６の頂端に接近する位置にあるようになる。
【００１０】
上述部材により、エアーシャフトは空気充塞部３が空気に充塞される前後に拘わらず、エアーシャフトの表面には連続的隙間が存在せず、そのためにエアーシャフトは空気充塞部３が空気に充塞されると直接材料を巻き取ることができ、かつそれら材料は伝統的外押し板の隙間内に陥ることなく、エアーシャフトは空気充塞部３が逐次空気を釈放する過程に於いて、湾曲片５は材料を挟むことがないので、エアーシャフトで材料を巻き取る場合はいかなるパイプをもエアーシャフトの表面に取り付ける必要がなく、伝統的エアーシャフトの問題を解決することができる。
【００１１】
本考案の実施例に於いて、再び図３及び図４に示すように、連動部４は複数個の内案内片４０及び押し動かし棒４２から構成され、内案内片４０は空気充塞部３の両端間の表面周縁の湾曲片５に相対する中央位置に設けられ、また、押し動かし棒４２の一端は内案内片４０の軸２に対面する一面に設けられ、押し動かし棒４２の他端はそれぞれ軸２の外に突き出し、かつそれぞれ相対する湾曲片５と連接し、そのために内案内片４０は空気充塞部３がまだ空気に充塞される前は軸２の内壁とある間隔が隔たれ、湾曲片５は軸２の表面に接近する位置にあり、内案内片４０は空気充塞部３が空気に充塞されたら、内案内片４０は軸２の内壁に接近する位置へ移動し、かつ湾曲片５は軸２の表面とある間隔隔たる。
【００１２】
本考案の他の実施例に於いて、連動部４は複数個の内案内片４０及び押し動かし棒４２から構成され、内案内片４０は気密性をもって空気充塞部３内の両端間で湾曲片５に相対する中央位置に設けられ、また、押し動かし棒４２の一端はそれぞれ気密性をもって内案内片４０の空気充塞部３に対面する一面に設けられ、押し動かし棒４２の他端はそれぞれ空気充塞部３及び軸２の外に突き出し、かつそれぞれ相対する一枚の湾曲片５と連接し、空気充塞部３が空気に充塞される前は軸２の内壁とある間隔隔たり、湾曲片５は軸２の表面に接近する位置にあり、内案内片４０は空気充塞部３が空気に充塞されたら、空気充塞部３はそれら内案内片４０を軸２の内壁に接近する位置へ移動し、かつ湾曲片５と軸２の表面はある間隔隔たる。
【００１３】
上述をまとめると、本案は突き出し部５０がちょうどそれぞれ別の欠け口部５６内に挿入することができ、かつ別の突き出し部５４はちょうどそれぞれ欠け口部５２に挿入することができることにより、湾曲片５が押し動かされる過程に於いて、湾曲片５には連続的直線の隙間が発生しないので、エアーシャフトが直接材料を巻き取る過程に於いて、材料はいかなる隙間内にも陥ることがなく、また材料が製品として巻取りされた後、空気充塞部３が逐次空気を釈放する過程に於いて、湾曲片５は材料を挟むことがなく、伝統的エアーシャフトの欠点を解決することができる。
以上に述べたのは本考案の最適実施例だけであり、本考案の構造特徴はこれに局限されることなく、この技術を熟知するものが本考案の領域内に於いて軽易に思い及べるいかなる変化または改修も、すべて本考案の特許範囲に含まれるものとする。
【図面の簡単な説明】
【００１４】
【図１】従来のエアーシャフトの気嚢が空気に充塞される前の模式図である。
【図２】従来のエアーシャフトの気嚢が空気に充塞された後の模式図である。
【図３】本考案の一実施例によるエアーシャフトの気嚢が空気に充塞される前の状態を示す模式図である。
【図４】本考案の一実施例によるエアーシャフトの気嚢が空気に充塞された後の状態を示す模式図である。
【図５】本考案の一実施例によるエアーシャフトが空気に充塞される前の状態を示す斜視図である。
【図６】本考案の一実施例によるエアーシャフトが空気に充塞された後の状態を示す斜視図である。
【符号の説明】
【００１５】
２  軸、３  空気充塞部、４  連動部、４０  内案内片、４２  押し動かし棒、５  湾曲片、５０  突き出し部、５２  欠け口部、５４  別の突き出し部、５６  別の欠け口部
【図１】
0003126631.tif 000003
【図２】
0003126631.tif 000004
【図３】
0003126631.tif 000005
【図４】
0003126631.tif 000006
【図５】
0003126631.tif 000007
【図６】
0003126631.tif 000008